(57)【特許請求の範囲】
【請求項１】
デジタル放送を受信するとともにインターネットに接続するデジタル放送受信システムにおいて、
デジタル放送を受信する放送入力部と、
ユーザからの、前記放送入力部にて受信されたリアルタイムのデジタル放送を視聴する旨、または、インターネット上での作業に移行する旨のユーザ情報が入力されるユーザ入力部と、
前記ユーザ入力部に入力された前記ユーザ情報に基づいて、前記放送入力部にて受信されたリアルタイムのデジタル放送の表示、または、インターネット画面の表示を行う出力部と、
前記放送入力部にて受信されたリアルタイムのデジタル放送に含まれるインターネットアクセス情報を抽出して前記出力部から表示させるとともに、前記ユーザ入力部にインターネット上での作業に移行する旨のユーザ情報が入力された場合にインターネットへ接続するインターネット情報抽出／処理部と、
インターネット移行フラグを具備し、インターネット上での作業に移行する旨のユーザ情報が前記ユーザ入力部に入力された場合に、前記インターネット移行フラグをＯＮにするインターネット移行判断部と、
前記インターネット移行判断部内に設けられたインターネット移行フラグがＯＮになる時に前記出力部から表示されていた画面を移行前画面として保存する移行前画面保存部とを有し、
前記出力部は、インターネット上での作業に移行する旨のユーザ情報の後に、リアルタイムのデジタル放送を視聴する旨のユーザ情報が前記ユーザ入力部に入力されると、前記移行前画面保存部にて保存された移行前画面を表示することを特徴とするデジタル放送受信システム。
【請求項２】
請求項１に記載のデジタル放送受信システムにおいて、
前記インターネット移行判断部内に設けられたインターネット移行フラグがＯＮである場合に、前記放送入力部にて受信されたデジタル放送を蓄積する放送蓄積部と、
放送蓄積有りフラグを具備し、前記インターネット移行判断部内に設けられたインターネット移行フラグがＯＮになる時に、前記放送蓄積有りフラグがＯＮになるとともに、インターネット上での作業に移行する旨のユーザ情報の後に、リアルタイムのデジタル放送を視聴する旨のユーザ情報が前記ユーザ入力部に入力され、内部に設けられた放送蓄積有りフラグがＯＮである場合に、前記放送蓄積部にて蓄積されたデジタル放送の再生をユーザに選択させるためのイメージ画面を前記出力部から表示させる放送蓄積有無提示部とを有し、
前記ユーザ入力部は、ユーザからの前記放送蓄積部にて蓄積されたデジタル放送を視聴する旨のユーザ情報が入力され、
前記出力部は、前記放送蓄積部にて蓄積されたデジタル放送を視聴する旨のユーザ情報が前記ユーザ入力部に入力された場合に、リアルタイムのデジタル放送が放送される画面と前記放送蓄積部にて蓄積されたデジタル放送が再生される画面とを同時に表示することを特徴とするデジタル放送受信システム。
【請求項３】
請求項２に記載のデジタル放送受信システムにおいて、
前記放送蓄積部にて蓄積されたデジタル放送を視聴する旨のユーザ情報が前記ユーザ入力部に入力された場合に、前記放送蓄積部にて蓄積されたデジタル放送が再生される画面の構成及び再生速度をユーザに指示させるためのイメージ画面を前記出力部から表示させる提示画面／速度指定部と、
前記放送蓄積部にて蓄積されたデジタル放送が再生される画面の構成及び再生速度を調整する画面／速度調整部とを有し、
前記ユーザ入力部は、ユーザからの前記放送蓄積部にて蓄積されたデジタル放送が再生される画面の構成及び再生速度を指示する旨のユーザ情報が入力され、前記画面／速度調整部は、前記放送蓄積部にて蓄積されたデジタル放送が再生される画面の構成及び再生速度を指示する旨のユーザ情報が前記ユーザ入力部に入力されると、前記放送蓄積部にて蓄積されたデジタル放送が再生される画面を、前記ユーザ入力部に入力されたユーザ情報に基づいて調整し、
前記出力部は、前記放送蓄積部にて蓄積されたデジタル放送が再生される画面を、前記画面／速度調整部にて調整された画面の構成及び再生速度で再生表示することを特徴とするデジタル放送受信システム。
【請求項４】
請求項２または３に記載のデジタル放送受信システムにおいて、
前記放送蓄積部は、
前記インターネット移行判断部の内部に設けられたインターネット移行フラグがＯＮである場合に、前記放送入力部にて受信されたデジタル放送の蓄積時間及び放送時間を整合して出力する時間情報整合部と、
前記時間情報整合部に入力されたデジタル放送にビデオ／オーディオが含まれる場合に、該ビデオ／オーディオを蓄積系のビデオ／オーディオに変換するビデオ／オーディオ変換部と、
前記ビデオ／オーディオ変換部にて変換された蓄積系のビデオ／オーディオを蓄積するビデオ／オーディオ蓄積部と、
前記時間情報整合部に入力されたデジタル放送にデータが含まれる場合に、該データを蓄積するデータ蓄積部と
前記時間情報整合部に入力されたデジタル放送にトリガ情報が含まれる場合に該トリガ情報の種類を解析し、解析されたトリガ情報の種類に基づいてトリガ情報の変更を行うトリガ情報解析変更部と、
前記トリガ情報解析変更部にて変更されたトリガ情報を蓄積するトリガ情報蓄積部とを有することを特徴とするデジタル放送受信システム。
【請求項５】
請求項１乃至４のいずれか１項に記載のデジタル放送受信システムにおいて、
前記インターネット移行判断部の内部に設けられたインターネット移行フラグは、前記ユーザ入力部に入力されたユーザ情報によって状態が変更されることを特徴とするデジタル放送受信システム。
【発明の詳細な説明】
【０００１】
【発明の属する技術分野】
本発明は、デジタル放送受信システムに関し、特に、デジタル放送を受信するとともにインターネットに接続されるデジタル放送受信システムに関する。
【０００２】
【従来の技術】
デジタル放送には、画像信号及び音声信号からなるＶ／Ａ（ビデオ／オーディオ）と、データ放送用のデータと、データのバージョンアップやモジュール変更等のデータ処理用のトリガ情報とが含まれている。
【０００３】
このようなデジタル放送を受信するとともに、インターネットに接続されるデジタル放送受信システムについて、以下に説明する。
【０００４】
図１３は、従来のデジタル放送受信システムの一構成例を示すブロック図である。
【０００５】
図１３に示すように本構成例においては、デジタル放送を受信する放送入力部１３０１と、放送入力部１３０１にて受信されたデジタル放送からＶ／Ａ、トリガ情報及びデータを抽出し、抽出されたＶ／Ａ、トリガ情報及びデータ情報をそれぞれ分類して出力するＶ／Ａ・トリガ情報・データ抽出部１３０２と、Ｖ／Ａ・トリガ情報・データ抽出部１３０２からＶ／Ａが出力された場合にＶ／Ａの処理を行うＶ／Ａ処理部１３０３と、Ｖ／Ａ・トリガ情報・データ抽出部１３０２からトリガ情報が出力された場合にトリガ情報の処理を行うトリガ情報処理部１３０４と、Ｖ／Ａ・トリガ情報・データ抽出部１３０２からデータが出力された場合にデータの処理を行うデータ処理部１３０５と、放送入力部１３０１にて受信されたデジタル放送を視聴したりインターネット上での作業に移行したりする旨のユーザ情報が視聴者（以下、ユーザと称する）から入力されるユーザ入力部１３０７と、時間情報が記憶されるタイマー１３０８と、Ｖ／Ａ処理部１３０３、トリガ情報処理部１３０４及びデータ処理部１３０５にてＶ／Ａ、トリガ情報及びデータがそれぞれ処理されたデジタル放送を、ユーザ入力部１３０７に入力されたユーザ情報及びタイマー１３０８にて記憶された時間情報に基づいて、リアルタイムに表示する出力部１３０６とが設けられている。
【０００６】
また、本構成例においては、データ処理部１３０５にて処理されたデータの中にインターネットアクセス情報が含まれる場合に、インターネットアクセス情報を抽出し、抽出されたインターネット情報を処理して出力部１３０６から表示するとともに、ユーザ入力部７からユーザがインターネット上での作業に移行する旨のユーザ情報が入力された場合にインターネット接続部１３１０を介してインターネットに接続するインターネット情報抽出／処理部１３０９が設けられている。
【０００７】
以下に、上記のように構成されたデジタル放送受信システムの動作について説明する。
【０００８】
放送入力部１３０１にてデジタル放送が受信されると、Ｖ／Ａ・トリガ情報・データ抽出部１３０２においては、放送入力部１３０１にて受信されたデジタル放送からＶ／Ａ、トリガ情報及びデータが抽出され、抽出されたＶ／Ａ、トリガ情報及びデータがそれぞれ分類されて出力される。
【０００９】
Ｖ／Ａ処理部１３０３においては、Ｖ／Ａ・トリガ情報・データ抽出部１３０２からＶ／Ａが出力された場合にＶ／Ａの処理が行われ、また、トリガ情報処理部１３０４においては、Ｖ／Ａ・トリガ情報・データ抽出部１３０２からトリガ情報が出力された場合にトリガ情報の処理が行われ、また、データ処理部１３０５においては、Ｖ／Ａ・トリガ情報・データ抽出部１３０２からデータが出力された場合にデータの処理が行われる。
【００１０】
出力部１３０６においては、Ｖ／Ａ処理部１３０３、トリガ情報処理部１３０４及びデータ処理部１３０５にてＶ／Ａ、トリガ情報及びデータがそれぞれ処理されたデジタル放送が、ユーザ入力部１３０７に入力されたユーザ情報及びタイマー１３０８にて記憶された時間情報に基づいて、リアルタイムに画面上に表示される。
【００１１】
ここで、インターネット情報抽出/処理部１３０９においては、データ処理部１３０５にて処理されたデータの中にインターネットアクセス情報が含まれる場合、このインターネットアクセス情報が抽出され、抽出されたインターネット情報が処理され、その後、処理されたインターネット情報が出力部１３０６から表示される。
【００１２】
ここで、インターネット情報抽出/処理部１３０９においては、ユーザ入力部１３０７からユーザがインターネット上での作業に移行する旨のユーザ情報が入力された場合、インターネット接続部１３１０を介してインターネットに接続され、それにより、ユーザの作業がインターネット上での作業に移行される。
【００１３】
ユーザは、インターネット上での作業を終了すると、リアルタイムのデジタル放送の視聴に戻る。
【００１４】
【発明が解決しようとする課題】
上述した従来の技術の第１の問題点としては、ユーザがインターネット上で作業している間に放送された内容を把握することができないという問題点が挙げられる。
【００１５】
また、第２の問題点としては、リアルタイムのデジタル放送の内容が進んでいるため、ユーザの思考が途切れてしまい、何をどこまで見たかを思い出す必要が生じ、リアルタイムのデジタル放送を継続して視聴することが困難になってしまうという問題点が挙げられる。
【００１６】
上述したような問題点を解決するために、従来のデジタル放送受信システムにおいては、タイムシフト蓄積が行われる場合がある。
【００１７】
タイムシフト蓄積とは、ユーザが一時的にリアルタイムのデジタル放送の視聴を中断した場合、中断した間のデジタル放送の内容を蓄積し、蓄積されたデジタル放送の内容を、リアルタイムのデジタル放送が終了した後に、ユーザが視聴を中断していた時間だけタイムシフトして再生するものである。
【００１８】
しかしながら、タイムシフト蓄積を用いたデジタル放送受信システムにおいては、ユーザが視聴を中断していた間に放送されていた内容を、タイムシフトしながら実時間を遅らせてユーザに視聴させることになるため、ユーザが必要とするリアルタイム性が重要となる情報に対してもタイムシフト分遅れてユーザに入手させることになってしまうという問題点がある。
【００１９】
本発明は、上述したような従来の技術が有する問題点に鑑みてなされたものであって、ユーザがリアルタイムのデジタル放送の視聴中に一時的にデジタル放送の視聴を中断した場合においても、ユーザがリアルタイムのデジタル放送の視聴に戻った時に、ユーザが視聴を中断している間のデジタル放送の内容を、リアルタイムのデジタル放送と同時にユーザに視聴させることができるデジタル放送受信システムを提供することを目的とする。
【００２０】
【課題を解決するための手段】
上記目的を達成するために本発明は、
デジタル放送を受信するとともにインターネットに接続するデジタル放送受信システムにおいて、
デジタル放送を受信する放送入力部と、
ユーザからの、前記放送入力部にて受信されたリアルタイムのデジタル放送を視聴する旨、または、インターネット上での作業に移行する旨のユーザ情報が入力されるユーザ入力部と、
前記ユーザ入力部に入力された前記ユーザ情報に基づいて、前記放送入力部にて受信されたリアルタイムのデジタル放送の表示、または、インターネット画面の表示を行う出力部と、
前記放送入力部にて受信されたリアルタイムのデジタル放送に含まれるインターネットアクセス情報を抽出して前記出力部から表示させるとともに、前記ユーザ入力部にインターネット上での作業に移行する旨のユーザ情報が入力された場合にインターネットへ接続するインターネット情報抽出／処理部と、
インターネット移行フラグを具備し、インターネット上での作業に移行する旨のユーザ情報が前記ユーザ入力部に入力された場合に、前記インターネット移行フラグをＯＮにするインターネット移行判断部と、
前記インターネット移行判断部内に設けられたインターネット移行フラグがＯＮになる時に前記出力部から表示されていた画面を移行前画面として保存する移行前画面保存部とを有し、
前記出力部は、インターネット上での作業に移行する旨のユーザ情報の後に、リアルタイムのデジタル放送を視聴する旨のユーザ情報が前記ユーザ入力部に入力されると、前記移行前画面保存部にて保存された移行前画面を表示することを特徴とする。
【００２１】
また、前記インターネット移行判断部内に設けられたインターネット移行フラグがＯＮである場合に、前記放送入力部にて受信されたデジタル放送を蓄積する放送蓄積部と、放送蓄積有りフラグを具備し、前記インターネット移行判断部内に設けられたインターネット移行フラグがＯＮになる時に、前記放送蓄積有りフラグがＯＮになるとともに、インターネット上での作業に移行する旨のユーザ情報の後に、リアルタイムのデジタル放送を視聴する旨のユーザ情報が前記ユーザ入力部に入力され、内部に設けられた放送蓄積有りフラグがＯＮである場合に、前記放送蓄積部にて蓄積されたデジタル放送の再生をユーザに選択させるためのイメージ画面を前記出力部から表示させる放送蓄積有無提示部とを有し、前記ユーザ入力部は、ユーザからの前記放送蓄積部にて蓄積されたデジタル放送を視聴する旨のユーザ情報が入力され、前記出力部は、前記放送蓄積部にて蓄積されたデジタル放送を視聴する旨のユーザ情報が前記ユーザ入力部に入力された場合に、リアルタイムのデジタル放送が放送される画面と前記放送蓄積部にて蓄積されたデジタル放送が再生される画面とを同時に表示することを特徴とする。
【００２２】
また、前記放送蓄積部にて蓄積されたデジタル放送を視聴する旨のユーザ情報が前記ユーザ入力部に入力された場合に、前記放送蓄積部にて蓄積されたデジタル放送が再生される画面の構成及び再生速度をユーザに指示させるためのイメージ画面を前記出力部から表示させる提示画面／速度指定部と、前記放送蓄積部にて蓄積されたデジタル放送が再生される画面の構成及び再生速度を調整する画面／速度調整部とを有し、前記ユーザ入力部は、ユーザからの前記放送蓄積部にて蓄積されたデジタル放送が再生される画面の構成及び再生速度を指示する旨のユーザ情報が入力され、前記画面／速度調整部は、前記放送蓄積部にて蓄積されたデジタル放送が再生される画面の構成及び再生速度を指示する旨のユーザ情報が前記ユーザ入力部に入力されると、前記放送蓄積部にて蓄積されたデジタル放送が再生される画面を、前記ユーザ入力部に入力されたユーザ情報に基づいて調整し、前記出力部は、前記放送蓄積部にて蓄積されたデジタル放送が再生される画面を、前記画面／速度調整部にて調整された画面の構成及び再生速度で再生表示することを特徴とする。
【００２４】
また、前記放送蓄積部は、
前記インターネット移行判断部の内部に設けられたインターネット移行フラグがＯＮである場合に、前記放送入力部にて受信されたデジタル放送の蓄積時間及び放送時間を整合して出力する時間情報整合部と、
前記時間情報整合部に入力されたデジタル放送にビデオ／オーディオが含まれる場合に、該ビデオ／オーディオを蓄積系のビデオ／オーディオに変換するビデオ／オーディオ変換部と、
前記ビデオ／オーディオ変換部にて変換された蓄積系のビデオ／オーディオを蓄積するビデオ／オーディオ蓄積部と、
前記時間情報整合部に入力されたデジタル放送にデータが含まれる場合に、該データを蓄積するデータ蓄積部と
前記時間情報整合部に入力されたデジタル放送にトリガ情報が含まれる場合に該トリガ情報の種類を解析し、解析されたトリガ情報の種類に基づいてトリガ情報の変更を行うトリガ情報解析変更部と、
前記トリガ情報解析変更部にて変更されたトリガ情報を蓄積するトリガ情報蓄積部とを有することを特徴とする。
【００２５】
また、前記インターネット移行判断部の内部に設けられたインターネット移行フラグは、前記ユーザ入力部に入力されたユーザ情報によって状態が変更されることを特徴とする。
【００２６】
（作用）
上記のように構成された本発明においては、ユーザがリアルタイムのデジタル放送の視聴からインターネット上の作業に移行した場合に、移行前画面保存部において、ユーザがインターネット上の作業に移行した時に出力部にて表示されていた画面が移行前画面として保存される。
【００２７】
放送蓄積部においては、ユーザがインターネット上で作業している間に放送入力部にて受信されたデジタル放送が、ビデオ／オーディオ、トリガ情報及びデータのそれぞれに分類されて蓄積される。
【００２８】
ユーザがインターネット上での作業からリアルタイムのデジタル放送の視聴に戻った場合、出力部において、移行前画面保存部にて保存された移行前画面が表示されるとともに、ユーザの選択に基づいて放送蓄積部にて蓄積されたデジタル放送が、リアルタイムのデジタル放送が表示されている画面内に同時に再生される。
【００２９】
このため、ユーザがリアルタイムのデジタル放送の視聴を一時的に中断してインターネット上での作業に移行した場合においても、インターネット上での作業からリアルタイムのデジタル放送の視聴に戻った際に、ユーザに対してインターネット上での作業に移行した時に出力部にて表示されていた画面の状態を再認識させるとともに、ユーザに対して一時的に視聴を中断していたデジタル放送の内容を正確に把握させる。
【００３０】
【発明の実施の形態】
以下に、本発明の実施の形態について図面を参照して説明する。
【００３１】
図１は、本発明のデジタル放送受信システムの実施の一形態を示すブロック図である。
【００３２】
図１に示すように本形態においては、チューナ（不図示）を具備し、該チューナを介してデジタル放送を受信する放送入力部１と、放送入力部１にて受信されたデジタル放送からＶ／Ａ、トリガ情報及びデータを抽出し、抽出されたＶ／Ａ、トリガ情報及びデータをそれぞれ分類して出力するＶ／Ａ・トリガ情報・データ抽出部２と、Ｖ／Ａ・トリガ情報・データ抽出部２からＶ／Ａが出力された場合にＶ／Ａの処理を行うＶ／Ａ処理部３と、Ｖ／Ａ・トリガ情報・データ抽出部２からトリガ情報が出力された場合にトリガ情報の処理を行うトリガ情報処理部４と、Ｖ／Ａ・トリガ情報・データ抽出部２からデータが出力された場合にデータの処理を行うデータ処理部５と、放送入力部１にて受信されたデジタル放送を視聴したりインターネット上での作業に移行したりする旨のユーザ情報がユーザから入力されるユーザ入力部７と、時間情報が記憶されるタイマー８と、Ｖ／Ａ処理部３、トリガ情報処理部４及びデータ処理部５にてＶ／Ａ、トリガ情報及びデータがそれぞれ処理されたデジタル放送を、ユーザ入力部７に入力されたユーザ情報及びタイマー８の時間情報に基づいてリアルタイムに表示する出力部６とが設けられている。
【００３３】
ここで、本形態においては、データ処理部５にて処理されたデータの中からインターネットアクセス情報を抽出し、抽出されたインターネットアクセス情報を処理して出力部６から表示させるとともに、ユーザ入力部７からユーザがインターネット上での作業に移行する旨のユーザ情報が入力された場合にインターネット接続部１０を介してインターネットに接続され、ユーザの作業をインターネット上での作業に移行させるインターネット情報抽出／処理部９と、インターネット移行フラグを具備し、ユーザがインターネットの作業に移行したと判断した場合に該インターネット移行フラグをＯＮにするインターネット移行判断部１１と、インターネット移行判断部１１内に設けられたインターネット移行フラグがＯＮである場合に、ユーザがインターネット上での作業に移行する時に出力部６から表示されていたデジタル放送の画面を移行前画面として保存する移行前画面保存部１２と、インターネット移行判断部１１内に設けられたインターネット移行フラグがＯＮである場合に、ユーザがインターネット上で作業を行っている間に放送入力部１にて受信されたデジタル放送を蓄積する放送蓄積部１４と、放送蓄積有りフラグを具備し、インターネット移行判断部１１内に設けられたインターネット移行フラグがＯＮになった時に放送蓄積有りフラグをＯＮにし、該放送蓄積有りフラグがＯＮである場合に、放送蓄積部１４にて蓄積されたデジタル放送の再生をユーザに選択させる放送蓄積有無提示部１３と、放送蓄積部１４にて蓄積されたデジタル放送の再生をユーザが選択した場合に、放送蓄積部１４にて蓄積されたデジタル放送が再生される画面の構成及び再生速度をユーザに選択させる提示画面／速度指定部１５と、放送蓄積部１４にて蓄積されたデジタル放送が再生される画面を、ユーザが選択した画面の構成及び再生速度になるように調整する画面／速度調整部１６とが設けられている。
【００３４】
なお、放送蓄積部１４にて蓄積されるデジタル放送は、放送入力部１にて受信され、Ｖ／Ａ・トリガ情報・データ抽出部２にてＶ／Ａ、トリガ情報及びデータが抽出され、Ｖ／Ａ処理部３、トリガ情報処理部４及びデータ処理部５にてＶ／Ａ、トリガ情報及びデータがそれぞれ処理された状態で放送蓄積部１４に入力されるデジタル放送である。
【００３５】
また、放送蓄積有無提示部１３においては、放送蓄積部１４にて蓄積されたデジタル放送の再生が出力部６にて終了した場合に、内部に設けられた放送蓄積有りフラグがＯＦＦに戻される。
【００３６】
更に、放送蓄積有無提示部１３においては、放送蓄積部１４にて蓄積されたデジタル放送の再生をユーザに選択させるため、放送蓄積部１４にて蓄積されたデジタル放送の再生を選択させるためのイメージ画面が出力部６に対して出力され、その後、出力部６において、放送蓄積有無提示部１３から出力されたイメージ画面が表示される。
【００３７】
また、提示画面／速度指定部１５においては、放送蓄積部１４にて蓄積されたデジタル放送を再生する際の画面の構成及び再生速度をユーザに選択させるため、放送蓄積部１４にて蓄積されたデジタル放送を再生する際の画面の構成及び再生速度を選択させるためのイメージ画面が出力部６に対して出力され、その後、出力部６において、提示画面／速度指定部１５から出力されたイメージ画面が表示される。
【００３８】
また、トリガ情報処理部４においては、Ｖ／Ａ・トリガ情報・データ抽出部２から出力されたトリガ情報とともにユーザからユーザ入力部７を介して入力されたトリガ情報の処理をも行われ、これらの処理内容がデータ処理部５に対して通知されており、データ処理部５においては、トリガ情報処理部４におけるトリガ情報の処理内容に基づいてデータの処理が行われる。
【００３９】
なお、トリガ情報処理部４にて処理されるトリガ情報には、データ処理部５にて処理されるデータのモジュールの変更やモジュールのバージョンアップ等のデータ処理用の全ての情報が含まれる。
【００４０】
図２は、図１に示したトリガ情報処理部４にて処理されるトリガ情報の種類のイメージ列を示す図である。
【００４１】
図２に示すように、トリガ情報の種類は、「リアルタイムに放送されたかリアルタイムにユーザから入力されたトリガで直ぐ発火するトリガ」、「リアルタイムに放送されたかリアルタイムにユーザから入力されたトリガで時間を調整して発火するトリガ」、「事前に放送されたか事前にユーザから入力されたスケジュール調整可能なトリガ」の３種類に大きく分類される。
【００４２】
以下に、上記のように構成されたデジタル放送受信システムにおける動作について説明する。
【００４３】
まず、ユーザがリアルタイムのデジタル放送を視聴する場合の動作について説明する。
【００４４】
放送入力部１にてデジタル放送が受信されると、Ｖ／Ａ・トリガ情報・データ抽出部２においては、放送入力部１にて受信されたデジタル放送からＶ／Ａ、トリガ情報及びデータが抽出され、抽出されたＶ／Ａ、トリガ情報及びデータがそれぞれ分類されてＶ／Ａ処理部３、トリガ情報処理部４及びデータ処理部５に対して出力される。
【００４５】
ここで、Ｖ／Ａ・トリガ情報・データ抽出部２からＶ／Ａが出力された場合、Ｖ／Ａ処理部３において、音声信号や画像信号のデコード等のＶ／Ａの処理が行われる。
【００４６】
また、Ｖ／Ａ・トリガ情報・データ抽出部２からトリガ情報が出力された場合、トリガ情報処理部４において、トリガ情報の種類に基づいてトリガ情報の処理が行われ、データ処理部５に対して処理内容の通知が行われる。
【００４７】
なお、トリガ情報処理部４においては、ユーザからユーザ入力部７を介して入力されたトリガ情報に基づいて、Ｖ／Ａ・トリガ情報・データ抽出部２から出力されたトリガ情報が処理される場合もある。
【００４８】
また、Ｖ／Ａ・トリガ情報・データ抽出部２からデータが出力された場合、データ処理部５において、まず、トリガ情報処理部４から通知された処理内容に基づいてデータの変更が行われ、その後、変更されたデータの種類に基づいてデータの処理が行われる。
【００４９】
次に、出力部６において、Ｖ／Ａ処理部３、トリガ情報処理部４及びデータ処理部５にてＶ／Ａ、トリガ情報及びデータがそれぞれ処理されたデジタル放送が、ユーザからユーザ入力部７に入力されたユーザ情報及びタイマー８の時間情報に基づいて、リアルタイムに表示される。
【００５０】
次に、ユーザがリアルタイムのデジタル放送の視聴からインターネット上での作業に移行する場合の動作について説明する。
【００５１】
データ処理部５にて処理されたデータの中にインターネットアクセス情報が含まれる場合、インターネット情報抽出／処理部９において、このインターネットアクセス情報が抽出される。
【００５２】
次に、インターネット情報抽出／処理部９において、抽出されたインターネットアクセス情報が処理され、その後、出力部６において、インターネット情報抽出／処理部９にて処理されたインターネットアクセス情報が表示される。
【００５３】
ここで、ユーザ入力部７からユーザがインターネット上での作業に移行する旨のユーザ情報がインターネット情報抽出／処理部９に入力された場合、インターネット情報抽出／処理部９において、インターネット接続部１０を介してインターネットに接続され、ユーザの作業をリアルタイムのデジタル放送の視聴からインターネット上での作業に移行させる。
【００５４】
次に、インターネット移行判断部１１において、ユーザがインターネット上での作業に移行したか判断され、ユーザがインターネット上での作業に移行したと判断された場合、内部に設けられたインターネット移行フラグがＯＮになる。
【００５５】
インターネット移行判断部１１の内部に設けられたインターネット移行フラグがＯＮになると、移行前画面保存部１２において、ユーザがインターネット上での作業に移行した時に出力部６から表示されていたデジタル放送の画面が移行前画面として保存され、また、放送蓄積有無提示部１３において、内部に設けられた放送蓄積有りフラグがＯＮになる。
【００５６】
次に、放送蓄積部１４において、ユーザがインターネット上での作業を行っている間に、Ｖ／Ａ処理部３、トリガ情報処理部４及びデータ処理部５にてＶ／Ａ、トリガ情報及びデータがそれぞれ処理されたデジタル情報が蓄積される。
【００５７】
次に、ユーザがインターネット上での作業からデジタル放送の視聴に戻る場合の動作について説明する。
【００５８】
まず、インターネット情報／抽出処理部９において、データ処理部５からインターネットアクセス情報が抽出されない場合やユーザからユーザ入力部７を介してインターネット上での作業を終了する旨のユーザ情報が入力された場合、インターネット接続手段１０を介してインターネットの接続が解除される。
【００５９】
次に、インターネット移行判断部１１において、内部に設けられたインターネット移行フラグがＯＦＦに戻される。
【００６０】
次に、移行前画面保存部１２において、保存されていた移行前画面が出力部６に対して出力される。
【００６１】
次に、放送蓄積有無提示部１３において、内部に設けられた放送蓄積有りフラグがＯＮである場合に、放送蓄積部１４にて蓄積されたデジタル放送の再生をユーザに選択させるためのイメージ画面が出力部６に対して出力される。
【００６２】
次に、出力部６において、移行前画面保存部１２から出力された移行前画面と放送蓄積有無提示部１３から出力されたイメージ画面とが同じ画面上に表示される。
【００６３】
ここで、ユーザが放送蓄積部１４にて蓄積されたデジタル放送の再生を選択した場合、提示画面／速度指定部１５において、放送蓄積部１４にて蓄積されたデジタル放送を再生する際の画面の構成及び再生速度をユーザに選択させるためのイメージ画面が、出力部６に対して出力される。
【００６４】
次に、出力部６において、提示画面／速度指定部１５から出力されたイメージ画面が表示される。
【００６５】
ユーザが放送蓄積部１４にて蓄積されたデジタル放送を再生する画面の構成及び再生速度を選択すると、画面／速度調整部１６において、ユーザが選択した画面の構成及び再生速度に基づいて、放送蓄積部１４にて蓄積されたデジタル放送が再生される画面が調整される。
【００６６】
その後、出力部６においては、放送蓄積部１４にて蓄積されたデジタル放送の画面が、画面／速度調整部１６にて調整された画面の構成及び再生速度で、リアルタイムのデジタル放送が表示されている画面内に同時に再生される。
【００６７】
以下に、図１に示した放送蓄積部１４について詳細に説明する。
【００６８】
図３は、図１に示した放送蓄積部１４の一構成例を示すブロック図である。
【００６９】
本構成例は図３に示すように、入力されるデジタル放送の蓄積時間及び放送時間を整合する時間情報整合部３０４と、時間情報整合部３０４に入力されたデジタル放送にＶ／Ａが含まれている場合に該Ｖ／Ａを蓄積系のＶ／Ａに変換するＶ／Ａ変換部３０５と、Ｖ／Ａ変換部３０５にて変換された蓄積系のＶ／Ａを蓄積するＶ／Ａ蓄積部３０１と、時間情報整合部３０４に入力されたデジタル放送にトリガ情報が含まれている場合に該トリガ情報の種類を解析し、解析されたトリガ情報の種類に基づいてトリガ情報の変更を行うトリガ情報解析変更部３０６と、トリガ情報解析変更部３０６にてトリガ情報の種類に基づいて変更されたトリガ情報を蓄積するトリガ情報蓄積部３０３と、時間情報整合部３０４に入力されたデジタル放送にデータが含まれている場合に該データを蓄積するデータ蓄積部３０２とから構成されている。
【００７０】
なお、時間情報整合部３０４に入力されるデジタル放送は、放送入力部１にて受信され、Ｖ／Ａ・トリガ情報・データ抽出部２にてＶ／Ａ、トリガ情報及びデータが抽出され、その後、Ｖ／Ａ処理部３、トリガ情報処理部４及びデータ処理部５にてＶ／Ａ、トリガ情報及びデータがそれぞれ処理されたデジタル放送である。
【００７１】
以下に、上記のように構成された放送蓄積部の動作について説明する。
【００７２】
時間情報整合部３０４にデジタル放送が入力されると、時間情報整合部３０４において、入力されたデジタル放送の蓄積時間と放送時間とが整合される。
【００７３】
時間情報整合部３０４に入力されたデジタル放送にＶ／Ａが含まれている場合、このＶ／ＡはストリームのＶ／Ａであるため、Ｖ／Ａ変換部３０５において、ストリームのＶ／Ａが蓄積系のＶ／Ａに変換され、その後、Ｖ／Ａ蓄積部３０１において、Ｖ／Ａ変換部３０５にて蓄積系のＶ／Ａに変換されたＶ／Ａが蓄積される。
【００７４】
時間情報整合部３０４に入力されたデジタル放送にトリガ情報が含まれている場合、トリガ情報解析変更部３０６において、このトリガ情報の種類が解析され、トリガ情報の種類が「事前に配送またはユーザ入力されたスケジュール調整可能トリガ」（図２参照）と異なる場合は、トリガ情報の種類が「事前に配送またはユーザ入力されたスケジュール調整可能トリガ」に変更され、その後、トリガ情報蓄積部３０３において、トリガ情報解析変更部３０６にて種類が変更されたトリガ情報が蓄積される。
【００７５】
時間情報整合部３０４に入力されたデジタル放送にデータが含まれている場合、このデータは蓄積系のデータであるため、データ蓄積部３０２において、入力されたデータがそのままの状態で蓄積される。
【００７６】
以下に、上記のように構成されたデジタル放送受信システムの動作についてフローチャートを用いて詳細に説明する。
【００７７】
図４は、図１に示した出力部６からリアルタイムにデジタル放送を表示する場合の動作を説明するためのフローチャートである。
【００７８】
放送入力部１にてデジタル放送が受信されると（ステップＳ４０１）、Ｖ／Ａ・トリガ情報・データ抽出部２において、放送入力部１にて受信されたデジタル放送からＶ／Ａ、トリガ情報及びデータが抽出され（ステップＳ４０２）、抽出されたＶ／Ａ、トリガ情報及びデータがそれぞれ分類されて、Ｖ／Ａ処理部３、トリガ情報処理部４及びデータ処理部５に対してそれぞれ出力される（ステップＳ４０３）。
【００７９】
Ｖ／Ａ・トリガ情報・データ抽出部２からＶ／Ａが出力された場合、Ｖ／Ａ処理部３において、Ｖ／Ａの処理が行われる（ステップＳ４０４）。
【００８０】
Ｖ／Ａ・トリガ情報・データ抽出部２からトリガ情報が出力された場合、トリガ情報処理部４において、トリガ情報の種類に基づいて、トリガ情報の処理が行われ、処理内容がデータ処理部５に対して通知される（ステップＳ４０５）。
【００８１】
Ｖ／Ａ・トリガ情報・データ抽出部２からデータが出力された場合、データ処理部５において、まず、トリガ情報処理部４から通知された処理内容に基づいてデータの変更が行われ、その後、変更されたデータの種類に基づいてデータの処理が行われる（ステップＳ４０６）。
【００８２】
なお、データ処理部５にて処理されたデータの中にインターネットアクセス情報が含まれる場合、このインターネットアクセス情報がインターネット情報抽出／処理手段９にて抽出される。
【００８３】
次に、出力部６において、Ｖ／Ａ処理部３、トリガ情報処理部４及びデータ処理部５にてＶ／Ａ、トリガ情報及びデータのそれぞれが処理されたデジタル放送が、タイマー８の時間情報とユーザ入力部７に入力されたユーザ情報とに基づいて、リアルタイムに表示される（ステップＳ４０７）。
【００８４】
ここで、図４に示したステップＳ４０５におけるトリガ情報処理動作について、図１及び図２を参照して更に詳細に説明する。
【００８５】
図５は、図４に示したステップＳ４０５におけるトリガ情報処理動作を説明するためのフローチャートである。
【００８６】
ユーザがユーザ入力部７に入力したトリガ情報やＶ／Ａ・トリガ情報・データ抽出部２から出力されたトリガ情報がトリガ情報処理部４に入力されると、トリガ情報処理部４において、入力されたトリガ情報がリアルタイムに発生したトリガ情報であるか判別される（ステップＳ５０１）。
【００８７】
ステップＳ５０１において、リアルタイムに発生したものではなく、例えば、予めスケジュールに埋め込まれているトリガ情報であると判別された場合、トリガ情報処理部４において、タイマー８の時間情報に基づいてトリガ情報の発火時間が調整される(ステップＳ５０２)。
【００８８】
次に、トリガ情報処理部４において、発火時間が調整されたトリガ情報の種類が解析され、トリガ情報の種類に基づいて、データのモジュールのバージョンアップやモジュール自体の変更等に必要な処理が行われ、この処理内容がデータ処理部５に対して通知される（ステップＳ５０４）。
【００８９】
一方、ステップＳ５０１において、リアルタイムに発生したトリガ情報であると判別された場合、トリガ情報処理部４において、トリガ情報の内容が直ぐ発火するか判別され(ステップＳ５０３)、直ぐ発火しないと判別された場合、ステップＳ５０２における処理に進む。
【００９０】
また、ステップＳ５０３において、直ぐ発火すると判別された場合、ステップＳ５０４における処理に進む。
【００９１】
ここで、図４に示したステップＳ４０６におけるデータ処理動作について、図１を参照して詳細に説明する。
【００９２】
図６は、図４に示したステップＳ４０６におけるデータ処理動作を説明するためのフローチャートである。
【００９３】
まず、データ処理部５において、トリガ情報処理部４から通知された処理内容にデータを変更する内容が含まれているか判別され(ステップＳ６０１)、トリガ情報処理部４からデータを変更する内容の通知がないと判別された場合、そのままデータの種類に基づいてデータの処理が行われる（ステップＳ６０３）。
【００９４】
一方、ステップＳ６０１において、トリガ情報処理部４からデータを変更する内容が通知されたと判別された場合、データ処理部５において、通知された変更内容に基づいてデータが変更され（ステップＳ６０２）、その後、ステップＳ６０３における処理に進み、変更されたデータの種類に基づいてデータの処理が行われる。
【００９５】
次に、インターネット情報抽出／処理部９において、ステップＳ６０３にて処理されたデータの中にインターネットアクセス情報が含まれているか判別され（ステップＳ６０４）、インターネットアクセス情報が含まれていると判別された場合、このインターネットアクセス情報が処理されて出力部６から表示される。次に、インターネット情報抽出／処理部９において、ユーザ入力部７からユーザがインターネット上での作業に移行する旨のユーザ情報が入力されたか判別され（ステップＳ６０５）、ユーザがインターネット上での作業に移行する旨のユーザ情報が入力されたと判別された場合、インターネット接続部１０を介してインターネットに接続され、それにより、ユーザの作業がインターネット上での作業に移行され、デジタル放送受信システムの内部に設けられた各部の処理がインターネット処理に移行される（ステップＳ６０６）。
【００９６】
一方、ステップＳ６０４において、インターネットアクセス情報が含まれていないと判別された場合、処理が終了し、また、ステップＳ６０５において、ユーザからインターネット上での作業に移行する旨のユーザ情報が入力されていないと判別された場合、処理が終了する。
【００９７】
ここで、図６に示したステップＳ６０６におけるインターネット処理動作について、図１を参照して詳細に説明する。
【００９８】
図７は、図６に示したステップＳ６０６におけるインターネット処理動作を説明するためのフローチャートである。
【００９９】
インターネット情報抽出／処理部９においてインターネット接続部１０を介してインターネットに接続されると、インターネット移行判断部１１において、ユーザがインターネット上の作業に移行したと判断され、内部に設けられたインターネット移行フラグがＯＮになる（ステップＳ７０１）。
【０１００】
インターネット情報抽出／処理部９の内部に設けられたインターネット移行フラグがＯＮになると、移行前画面保存部１２において、ユーザがインターネット上での作業に移行した時に出力部６から表示されていたデジタル放送の画面が移行前画面として保存される（ステップＳ７０２）。
【０１０１】
次に、放送蓄積有無提示部１３において、内部に設けられた放送蓄積有りフラグがＯＮになる（ステップＳ７０３）。
【０１０２】
次に、放送蓄積部１４において、放送入力部１にて受信され、Ｖ／Ａ・トリガ情報・データ抽出部２にてＶ／Ａ、トリガ情報及びデータが抽出され、その後、Ｖ／Ａ処理部３、トリガ情報処理部４及びデータ処理部５にてＶ／Ａ、トリガ情報及びデータがそれぞれ処理されたデジタル放送の蓄積が開始される（ステップＳ７０４）。
【０１０３】
ここで、図７に示したステップＳ７０４における放送蓄積処理動作について、図１及び図３を参照して更に詳細に説明する。
【０１０４】
図８は、図７に示したステップＳ７０４における放送蓄積処理動作を説明するためのフローチャートである。
【０１０５】
時間情報整合部３０４にデジタル放送が入力されると、時間情報整合部３０４において、入力されたデジタル放送の蓄積時間と放送時間とが整合される（ステップＳ８００）。
【０１０６】
なお、時間情報整合部３０４に入力されたデジタル放送は、放送入力部１にて受信され、Ｖ／Ａ・トリガ情報・データ抽出部２にてＶ／Ａ、トリガ情報及びデータが抽出され、その後、Ｖ／Ａ処理部３、トリガ情報処理部４及びデータ処理部５にてＶ／Ａ、トリガ情報及びデータがそれぞれ処理されたデジタル放送である。
【０１０７】
次に、Ｖ／Ａ変換部３０５において、時間情報整合部３０４に入力されたデジタル放送にＶ／Ａが含まれているか判別される（ステップＳ８０１）。
【０１０８】
ステップＳ８０１において、Ｖ／Ａが含まれていると判別された場合、Ｖ／Ａ変換部３０５において、時間情報整合部３０４に入力されたデジタル放送に含まれるＶ／Ａが蓄積系のＶ／Ａに変換され（ステップＳ８０２）、Ｖ／Ａ蓄積部３０１において、Ｖ／Ａ変換部３０５にて蓄積系のＶ／Ａに変換されたＶ／Ａが蓄積され（ステップＳ８０３）、その後、データ蓄積部３０２において、時間情報整合部３０４に入力されたデジタル放送にデータが含まれているか判別される（ステップＳ８０４）。
【０１０９】
一方、ステップＳ８０１において、Ｖ／Ａが出力されていないと判別された場合、ステップＳ８０４における処理に進む。
【０１１０】
ここで、ステップＳ８０４において、データが含まれていると判別された場合、時間情報整合部３０４に入力されたデジタル放送に含まれるデータは蓄積系のデータであるため、データ蓄積部３０２において、そのままの状態でデータが蓄積され（ステップＳ８０５）、その後、トリガ情報解析変更部３０６において、時間情報整合部３０４に入力されたデジタル放送にトリガ情報が含まれているか判別される（ステップＳ８０６）。
【０１１１】
一方、ステップＳ８０４において、データが出力されていないと判別された場合、ステップＳ８０６における処理に進む。
【０１１２】
ここで、ステップＳ８０６において、トリガ情報が含まれていると判別された場合、トリガ情報解析変更部３０６において、トリガ情報の種類が解析され、このトリガ情報の発火時間が時間情報整合部３０４にて整合された時間軸に合わされ、その後、トリガ情報の種類が「事前に放送されたか事前にユーザから入力されたトリガでスケジュール調整可能なトリガ」と異なる場合は、トリガ情報の種類が「事前に放送されたか事前にユーザから入力されたトリガでスケジュール調整可能なトリガ」に変更される（ステップＳ８０７）。
【０１１３】
次に、トリガ情報蓄積部３０３において、トリガ情報解析変更部３０６にて種類が変更されたトリガ情報が蓄積される（ステップＳ８０８）。
【０１１４】
一方、ステップＳ８０６において、トリガ情報が抽出されていないと判別された場合、処理が終了する。
【０１１５】
以下に、ユーザがインターネットでの作業からデジタル放送の視聴に戻る場合の動作について、図１を参照して説明する。
【０１１６】
図９は、ユーザがインターネット上での作業からデジタル放送の視聴に戻る場合の動作を説明するためのフローチャートである。
【０１１７】
まず、インターネット情報抽出／処理部９において、ユーザからユーザ入力部７を介して入力されるユーザ情報やデータ処理部５にて処理されたデータに基づいて、ユーザがインターネット上の作業を終了したか判別される（ステップＳ９０１）。
【０１１８】
ステップＳ９０１において、ユーザがインターネットでの作業を終了したと判別された場合、インターネット情報抽出／処理部９において、インターネット接続部１０を介してインターネットの接続が解除され、その後、インターネット移行判断部１１において、内部に設けられたインターネット移行フラグがＯＦＦに戻される（ステップＳ９０２）。
【０１１９】
インターネット情報抽出／処理部１１の内部に設けられたインターネット移行フラグがＯＦＦに戻されると、移行前画面保存部１２において、内部に保存されている移行前画面が出力部６に対して出力され、また、放送蓄積有無提示部１３において、内部に設けられた放送蓄積有りフラグがＯＮである場合に、放送蓄積部１４にて蓄積されたデジタル放送の再生をユーザに選択させるためのイメージ画面が出力部６に対して出力される（ステップＳ９０３）。
【０１２０】
その後、出力部６においては、移行前画面保存部１２から出力された移行前画面と放送蓄積有無提示部１３から出力されたイメージ画面とが画面上に同時に表示される（ステップＳ９０４）。
【０１２１】
図１０は、図１に示した放送蓄積部１４にて蓄積されたデジタル放送の再生をユーザに選択させるためのイメージ画面及び移行前画面の具体例を示す図である。
【０１２２】
図１０に示すように、ステップＳ９０４においては、移行前画面保存部１２に保存された移行前画面であるイメージ１００１と、放送蓄積部１４にて蓄積されたデジタル放送の再生をユーザに選択させるために放送蓄積有無提示部１３から出力されたイメージ画面であるイメージ１００２とが重ね合わされたイメージ１００３の画面が出力部６から表示される。
【０１２３】
次に、ユーザに放送蓄積部１４にて蓄積されたデジタル放送の再生するか選択させ（ステップＳ９０５）、ユーザがユーザ入力部７を介して放送蓄積部１４にて蓄積されたデジタル放送を再生しないと選択した場合、放送蓄積有無提示部１３において、内部に設けられたフラグがＯＦＦに戻され、また、放送蓄積部１４において、デジタル放送の蓄積が終了し、また、出力部６において、リアルタイムのデジタル放送が表示される(ステップＳ９０７)。
【０１２４】
一方、ステップＳ９０５において、ユーザが蓄積されたデジタル放送を再生すると選択した場合、放送蓄積部１４において、デジタル放送の蓄積を終了し、また、提示画面／速度指定部１５において、放送蓄積部１４にて蓄積されたデジタル放送が再生される画面の位置やサイズや再生速度をユーザに選択させるためのイメージ画面が出力部６に対して出力される（ステップＳ９０６）。
【０１２５】
次に、出力部６においては、提示画面／速度指定部１５から出力されたイメージ画面を画面上に表示させる（ステップＳ９０８）。
【０１２６】
図１１は、図１に示した放送蓄積部１４にて蓄積されたデジタル放送を再生する際の画面の位置やサイズや再生速度をユーザに選択させるためのイメージ画面の具体例を示す図である。
【０１２７】
図１１に示すように、ステップＳ９０８においては、放送蓄積部１４にて蓄積されたデジタル放送が再生される画面の条件を、縦方向位置で「上、中、下」のいずれかの位置から、横方向位置で「左、中、右」のいずれかの位置から選択させ、また、サイズで「１/２、１/４、１/８」のいずれかのサイズから選択させ、また、再生速度で「３倍速、２倍速、ノーマル」のいずれかの速度からユーザに選択させるためのイメージ画面が出力部６から表示される。
【０１２８】
なお、図１１に示した具体例においては、放送蓄積部１４にて蓄積されたデジタル放送が再生される画面の位置は、縦方向位置が「下」、横方向位置が「右」、画面のサイズが「１/４」、再生速度が「２倍速」になるようにユーザによって選択されている。
【０１２９】
次に、ユーザに放送蓄積部１４にて蓄積されたデジタル放送を再生する際の画面の位置やサイズや再生速度を選択させ（ステップＳ９０９）、ユーザがユーザ入力部７を介して放送蓄積部１４にて蓄積されたデジタル画面の位置やサイズや再生速度を選択すると、画面／速度調整部１６において、ユーザが選択した内容に基づいて、放送蓄積部１４にて蓄積されたデジタル放送の画面の位置やサイズや再生速度が調整される（ステップＳ９１０）。
【０１３０】
次に、出力部６において、放送蓄積部１４にて蓄積されたデジタル放送が、リアルタイムのデジタル放送が表示されている画面内に、画面／速度調整部１６にて調整された画面の位置、サイズ及び再生速度で再生される（ステップＳ９１１）。
【０１３１】
その後、出力部６にて放送蓄積部１４にて蓄積されたデジタル放送の再生が終了すると、放送蓄積有無提示部１３内に設けられた放送蓄積有りフラグがＯＦＦに戻される（ステップＳ９１２）。
【０１３２】
図１２は、図１に示した放送蓄積部１４にて蓄積されたデジタル放送が、リアルタイムのデジタル放送が表示されている画面内に再生されているイメージ画面の具体例を示す図である。
【０１３３】
なお、図１２に示したイメージ図は、放送蓄積部１４にて蓄積されたデジタル放送が再生される画面の構成／速度をユーザが図１１に示したように選択した場合のイメージ図である。
【０１３４】
図１２に示すように、放送蓄積部１４にて蓄積されたデジタル放送が再生される画面は、出力部６からリアルタイムのデジタル放送が表示されている画面の右下の位置に、１/４の画面サイズで、２倍の再生速度で表示される。
【０１３５】
なお、リアルタイムのデジタル放送が表示される画面が隠れないように、放送蓄積部１４にて蓄積されたデジタル放送が再生される画面を縮小する等の処理をする場合もある。
【０１３６】
また、本形態においては、デジタル放送を蓄積する期間をインターネット上での作業を開始した時点から終了した時点までの場合に特定して説明したが、例えば、リアルタイムのデジタル放送の視聴を急な電話やトイレ等で一時的に中断した場合においても、リアルタイムのデジタル放送の視聴に戻る際に、ユーザがリアルタイムのデジタル放送の視聴を中断した時の画面を表示させたり、ユーザがリアルタイムのデジタル放送の視聴を中断している間に放送されていたデジタル放送を、リアルタイムの放送が表示されている画面上に再生させることも可能である。
【０１３７】
具体的な方法としては、インターネット移行判断部内に設けられたインターネット移行フラグの状態をユーザにより切り替え可能なように構成すれば、
ユーザがリアルタイムのデジタル放送の視聴の中断時や再開時にインターネット移行フラグの状態を切り替えることにより、一時的に視聴を中断していた間のデジタル放送を放送蓄積手段にて蓄積させたり、一時的に視聴を中断していた時に出力部から表示されていた画面を移行前画面として移行前画面保存部にて保存させたりすればよい。
【０１３８】
【発明の効果】
以上説明したように本発明においては、ユーザがリアルタイムのデジタル放送の視聴からインターネット上の作業に移行した場合に、移行前画面保存部において、ユーザがインターネット上の作業に移行した時に出力部にて表示されていた画面が移行前画面として保存され、放送蓄積部において、ユーザがインターネット上で作業している間に放送入力部にて受信されたデジタル放送が、ビデオ／オーディオ、トリガ情報及びデータのそれぞれに分類されて蓄積されるように構成されている。
【０１３９】
ユーザがインターネット上での作業からリアルタイムのデジタル放送の視聴に戻った場合、出力部において、移行前画面保存部にて保存された移行前画面が表示されるとともに、ユーザの選択に基づいて放送蓄積部にて蓄積されたデジタル放送が、リアルタイムのデジタル放送が表示されている画面内に同時に再生されるように構成されている。
【０１４０】
このため、ユーザがリアルタイムのデジタル放送の視聴を一時的に中断してインターネット上での作業に移行した場合においても、インターネット上での作業からリアルタイムのデジタル放送の視聴に戻った際に、ユーザに対してインターネット上での作業に移行した時に出力部にて表示されていた画面の状態を再認識させることができるとともに、ユーザに対して一時的に視聴を中断していたデジタル放送の内容を正確に把握させることができる。
【０１４１】
また、本発明においては、画面／速度調整部において、放送蓄積部にて蓄積されたデジタル放送を再生表示する画面を、ユーザが指定する任意の画面の構成／速度に調整されるように構成されている。
【０１４２】
このため、出力部において、放送蓄積部にて蓄積されたデジタル放送の再生とリアルタイムのデジタル放送とを同時に表示させることができ、それにより、ユーザに対して、リアルタイムのデジタル放送を視聴させながら一時的に視聴を中断していた間のデジタル放送の内容を短時間で把握させることができるとともに、放送蓄積部にて蓄積されたデジタル放送を視聴させながらリアルタイムな情報を入手させることができる。
【図面の簡単な説明】
【図１】本発明のデジタル放送受信システムの実施の一形態を示すブロック図である。
【図２】図１に示したトリガ情報処理部にて処理されるトリガ情報の種類のイメージ列を示す図である。
【図３】図１に示した放送蓄積部の一構成例を示すブロック図である。
【図４】図１に示した出力部からリアルタイムにデジタル放送を表示する場合の動作を説明するためのフローチャートである。
【図５】図４に示したトリガ情報動作を説明するためのフローチャートである。
【図６】図４に示したデータ処理動作を説明するためのフローチャートである。
【図７】図６に示したインターネット処理動作を説明するためのフローチャートである。
【図８】図７に示した放送蓄積処理動作を説明するためのフローチャートである。
【図９】ユーザがインターネット上での作業からデジタル放送の視聴に戻る場合の動作を説明するためのフローチャートである。
【図１０】図１に示した放送蓄積部にて蓄積されたデジタル放送の再生をユーザに選択させるためのイメージ画面及び移行前画面の具体例を示す図である。
【図１１】図１に示した放送蓄積部にて蓄積されたデジタル放送を再生する際の画面の位置やサイズや再生速度をユーザに選択させるためのイメージ画面の具体例を示す図である。
【図１２】図１に示した放送蓄積部にて蓄積されたデジタル放送が、リアルタイムのデジタル放送が表示されている画面内に再生されているイメージ画面の具体例を示す図である。
【図１３】従来のデジタル放送受信システムの一構成例を示すブロック図である。
【符号の説明】
１    放送入力部
２    Ｖ／Ａ・トリガ情報・データ抽出部
３    Ｖ／Ａ処理部
４    トリガ情報処理部
５    データ処理部
６    出力部
７    ユーザ入力部
８    タイマー
９    インターネット情報抽出／処理部
１０    インターネット接続部
１１    インターネット移行判断部
１２    移行前画面保存部
１３    放送蓄積有無提示部
１４    放送蓄積部
１５    提示画面／速度指定部
１６    画面／速度調整部
３０１    Ｖ／Ａ蓄積部
３０２    データ蓄積部
３０３    トリガ情報蓄積部
３０４    時間情報整合部
３０５    Ｖ／Ａ変換部
３０６    トリガ情報解析／変更部
【図１】
0003539481.tif 000002
【図２】
0003539481.tif 000003
【図３】
0003539481.tif 000004
【図４】
0003539481.tif 000005
【図５】
0003539481.tif 000006
【図６】
0003539481.tif 000007
【図７】
0003539481.tif 000008
【図８】
0003539481.tif 000009
【図９】
0003539481.tif 000010
【図１０】
0003539481.tif 000011
【図１１】
0003539481.tif 000012
【図１２】
0003539481.tif 000013
【図１３】
0003539481.tif 000014